(57)【特許請求の範囲】
【請求項１】
壁に取り付け可能なスイッチケースと、前記スイッチケースに設けた操作部と、前記スイッチケース内に設けた基板部とを備え、前記基板部には、壁内から延びる電線の先端に固定された電線側コネクターと接続可能な基板側コネクターを有し、前記基板側コネクターは、前記基板部から壁内側へ延び、前記スイッチケースは、室内側の第１のケース部と、壁内側の第２のケース部とを備え、前記第２のケース部には、前記基板側コネクターが貫通する孔部を備え、前記基板側コネクターに嵌り、前記スイッチケースの内面における前記孔部の周縁部と接触する防塵手段を備えたことを特徴とするスイッチ装置。
【請求項２】
前記防塵手段の前記基板部側における端部は、前記基板部に接触し、前記第２のケース部と前記基板部とに挟まれて固定されることを特徴とする請求項１に記載のスイッチ装置。
【請求項３】
前記防塵手段は、前記基板側コネクターに嵌まる筒形状の筒部と、前記筒部の前記第２のケース部側先端から外方に延びたフランジ部とを備え、前記筒部の前記基板部側の先端は、前記基板部に接触し、前記フランジ部は、前記孔部の前記周縁部に接触することを特徴とする請求項１または２に記載のスイッチ装置。
【請求項４】
前記筒部と前記フランジ部とは、一体で形成したことを特徴とする請求項３に記載のスイッチ装置。
【請求項５】
前記防塵手段は、弾性材料で形成され、前記筒部における軸方向の長さは、前記基板部から前記第２のケース部までの長さより長いことを特徴とする請求項４に記載のスイッチ装置。
【請求項６】
前記フランジ部の一部は、前記第２のケース部の前記孔部に入り込むことを特徴とする請求項５に記載のスイッチ装置。
【発明の詳細な説明】
【技術分野】
【０００１】
本発明は、例えば、室内に設置された空気調和機を操作するために壁に取り付けられるスイッチ装置に関するものである。
【背景技術】
【０００２】
従来のスイッチ装置は、壁に取り付け可能なスイッチケースと、スイッチケース内にスイッチ部とを備えていた。スイッチケースの前面には、開口を備え、この開口からスイッチ部の一部が露出している。この露出部分を操作することによって、入り切り等の操作ができる。スイッチケースの背面には孔部を備え、この孔部には、密閉シールを設けていた。現場でスイッチケース内のスイッチ部に結線する場合に、スイッチ部と結線する電線部によって直接、密閉シールを破って、電線部をスイッチケース内に挿入し、電線部をスイッチ部と電気的に接続していた（例えば特許文献１参照）。
【先行技術文献】
【特許文献】
【０００３】
【特許文献１】実開昭６１−８８４１７号公報
【発明の概要】
【発明が解決しようとする課題】
【０００４】
このような従来のスイッチ装置における課題は、密閉性を更に高めることであった。
【０００５】
すなわち、従来の物においては、現場でスイッチケース内のスイッチ部に結線する場合に、スイッチ部と結線する電線部によって直接、密閉シールを破って、電線部をスイッチケース内に挿入し、電線部をスイッチ部と電気的に接続していたので、密閉シールが電線部より大きく破れると、密閉性が低下し、スイッチケース内に埃が入る場合があった。
【０００６】
そこで本発明は、密閉性を更に高めることを目的とする。
【課題を解決するための手段】
【０００７】
上述の目的を達成するために、本発明は、壁に取り付け可能なスイッチケースと、前記スイッチケースに設けた操作部と、前記スイッチケース内に設けた基板部とを備え、前記基板部には、壁内から延びる電線の先端に固定された電線側コネクターと接続可能な基板側コネクターを有し、前記基板側コネクターは、前記基板部から壁内側へ延び、前記スイッチケースは、室内側の第１のケース部と、壁内側の第２のケース部とを備え、前記第２のケース部には、前記基板側コネクターが貫通する孔部を備え、前記基板側コネクターに嵌り、前記スイッチケースの内面における前記孔部の周縁部と接触する防塵手段を備えたことを特徴とし、これにより所期の目的を達成するものである。
【発明の効果】
【０００８】
本発明に係るスイッチ装置によれば、壁に取り付け可能なスイッチケースと、前記スイッチケースに設けた操作部と、前記スイッチケース内に設けた基板部とを備え、前記基板部には、壁内から延びる電線の先端に固定された電線側コネクターと接続可能な基板側コネクターを有し、前記基板側コネクターは、前記基板部から壁内側へ延び、前記スイッチケースは、室内側の第１のケース部と、壁内側の第２のケース部とを備え、前記第２のケース部には、前記基板側コネクターが貫通する孔部を備え、前記基板側コネクターに嵌り、前記スイッチケースの内面における前記孔部の周縁部と接触する防塵手段を備えたことを特徴とし、これにより、密閉性を更に高めることができる。
【０００９】
すなわち、基板側コネクターは、孔部を貫通し、防塵手段は、基板側コネクターに嵌り、スイッチケースの内面における孔部の周縁部と接触するので、現場で壁内から延びる電線の先端に固定された電線側コネクターを、基板側コネクターに接続する場合に、防塵手段を介さずに直接電線側コネクターを基板側コネクターに接続できる。これにより、現場で、防塵手段を傷つけることを抑制でき、結果として、密閉性を更に高めることができる。
【図面の簡単な説明】
【００１０】
【図１】本発明の実施の形態に係るスイッチ装置の外観図
【図２】同スイッチ装置の展開図
【図３】同スイッチ装置の分解断面図
【図４】同スイッチ装置の断面図
【図５】同スイッチ装置の防塵手段と基板側コネクターと電線側コネクターとを示す図
【図６】同スイッチ装置の防塵手段を示す図
【発明を実施するための形態】
【００１１】
（実施の形態）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態に係るスイッチ装置について説明する。
【００１４】
図１は、本発明の実施の形態に係るスイッチ装置の外観図で、壁１７に取り付けられた状態である。図２は、本発明の実施の形態に係るスイッチ装置の展開図である。第２のケース部５から第１のケース部４を外し、スイッチケース１の内部を示した図である。
【００１５】
図１、図２に示すように、スイッチケース１は、奥行きが短い箱形状をなしており、スイッチケース内には、基板部２を備え、スイッチケース１における前面側には、操作部３を設けている。スイッチ装置は、室内に設置された空気調和機と電気的に接続されており、この操作部３を押すと、基板部２に備えたスイッチ（図示せず）が押され、空気調和機の運転を操作できる。
【００１６】
スイッチケース１は、室内側（前面側）の第１のケース部４と、壁１７内側（背面側）の第２のケース部５とを備えている。第１のケース部４は、第２のケース部５に装着可能であり、第２のケース部５は、壁１７に装着可能な構成である。
【００１７】
第１のケース部４は、壁１７内側（背面側）に開口した椀形状で、壁１７とほぼ平行となる四角形状の前面部６と、前面部６の周縁部から壁１７内側に延びた四角筒形状の第１の側面部７とを備えている。前面部６と第１の側面部７とは、樹脂材料によって、一体に樹脂成型されている。
【００１８】
第１のケース部４内の前面部６には、基板部２が固定されている。基板部２は、第１のケース部４の前面部６と略平行に装着されている。基板部２には、基板側コネクター８を有している。基板側コネクター８は、壁１７内から延びる電線の先端に固定された電線側コネクター９と接続可能である。
【００１９】
第２のケース部５は、室内側（前面側）に開口した椀形状で、壁１７とほぼ平行となる四角形状の背面部１０と、背面部の周縁部から室内側に延びた四角筒形状の第２の側面部１１とを備えている。背面部１０と第２の側面部１１とは、樹脂材料によって、一体に樹脂成形されている。
【００２０】
図３は、本発明の実施の形態に係るスイッチ装置の分解断面図である。第２のケース部５は、壁１７に取り付けられ、第１のケース部４が、第２のケース部５から外された状態である。図４は、本発明の実施の形態に係るスイッチ装置の断面図である。第２のケース部５は、壁１７に取り付けられ、基板側コネクター８に電線側コネクター９を接続し第２のケース部５には、第１のケース部４が装着された状態である。図５は、本発明の実施の形態に係るスイッチ装置の防塵手段と基板側コネクターと電線側コネクターとを示す図である。基板側コネクター８に電線側コネクター９を接続した状態である。
【００２１】
図３、図４、図５に示すように、基板側コネクター８は、基板部２から壁１７内側へ延び、壁１７内側が開口した椀形状である。電線側コネクター９が、基板側コネクター８内に挿入されると、電線側コネクター９と基板側コネクター８とは、電気的に接続される。
【００２２】
第２のケース部５の背面部１０には、縦長四角形状の孔部１２を、基板側コネクター８に対向するように配置している。孔部１２の面積は、基板側コネクター８より大きく、第２のケース部５に第１のケース部４を装着すると、基板側コネクター８は、孔部１２を貫通する。基板側コネクター８は、孔部１２を介して、壁１７内に露出する。
【００２３】
本実施形態における特徴は、防塵手段１３である。この防塵手段１３は、基板側コネクター８に嵌り、孔部１２の周縁部と接触する。基板側コネクター８の先端は、防塵手段１３から突出している。
【００２４】
図３、図５に示すように、防塵手段１３は、基板側コネクター８の外周に嵌り、基板側コネクター８の先端は、防塵手段１３から突出している。これにより、現場で電線側コネクター９を基板側コネクター８に接続する場合に、防塵手段１３を介さずに、直接基板側コネクター８に接続でき、現場で、防塵手段１３を傷つけることを抑制できる。結果として、密閉性を高めることができる。また、第２のケース部５に、第１のケース部４を装着すると、防塵手段１３は、孔部１２の周縁部と接触する。これにより、密閉性を高めることができる。
【００２５】
図６は、本発明の実施の形態に係るスイッチ装置の防塵手段を示す図である。
【００２６】
また、図５、図６に示すように、第２のケース部５に、第１のケース部４を装着すると、防塵手段１３の基板部側における端部１４は、基板部２に接触し、防塵手段１３は、第２のケース部５と基板部２とに挟まれて固定される。これにより、仮に、基板側コネクター８と防塵手段１３の筒部１５との間を埃が通過した場合に、筒部１５における基板部側の端部１４が、基板部２に接触しているので、スイッチケース１内に埃がはいることを抑制できる。
【００２７】
具体的には、防塵手段１３は、基板側コネクター８に嵌まる略四角形筒形状の筒部１５と、筒部１５の第２のケース部５側先端から外方に延びたフランジ部１６とを備えている。フランジ部１６は、筒部１５の中心軸方向に対して直角方向の外方へ延びている。室内側（前面側）から見ると、フランジ部１６は、筒部１５の周囲に位置し、四角形の額縁形状である。室内側（前面側）から見ると、孔部１２は、基板側コネクター８より一回り大きく、フランジ部１６は、孔部１２より一回り大きい。筒部１５の基板部側の先端である端部１４は、基板部２に接触し、フランジ部１６は、フランジ部１６の室内側（前面側）の面が、第２のケース部５の内面における孔部１２の周縁部に接触する。
【００２８】
このように、フランジ部１６と、第２のケース部５とは、面同士で接触するので、密閉性が向上する。なお、基板側コネクター８に嵌まる四角形筒形状の筒部１５の寸法は、筒部１５に基板側コネクター８を挿入できる程度の隙間を有する程度を含む。
【００２９】
また、筒部１５とフランジ部１６とは、弾性材料によって、一体で金型成形されている。１例は、ゴムである。これにより、筒部１５とフランジ部１６の間に隙間ができず、更に密閉性を高めることができる。また、この防塵手段１３が外れた場合にも、作業者にとって取り付けやすいものとなっている。
【００３０】
また、防塵手段１３は、弾性材料で形成され、筒部１５における軸方向の長さは、基板部２から第２のケース部５までの長さより長い。これにより、防塵手段１３が第１のケース部４の基板部２と第２のケース部５に挟まれた場合、中心軸方向に押しつぶされることで第２のケース部５の内面における孔部１２の周縁部と防塵手段１３の間に隙間なく接触することができ、更に密閉性を高めることができる。
【００３１】
また、フランジ部１６の一部は、第２のケース部５の孔部１２に入り込む。すなわち、防塵手段１３が第１のケース部４の基板部と第２のケース部５に挟まれた場合、フランジ部１６が変形し、フランジ部１６の一部が第２のケース部５の孔部１２に入り込む。
【００３２】
これにより、フランジ部１６が、孔部１２の周縁部に沿うように変形し、防塵手段１３のフランジ部１６と、第２のケース部５の孔部１２の周縁部との接触面積が増加し、密閉性を高めることができる。
【産業上の利用可能性】
【００３３】
居住、および非居住の部屋に設置されるスイッチ装置として有用である。
【符号の説明】
【００３４】
１  スイッチケース
２  基板部
３  操作部
４  第１のケース部
５  第２のケース部
６  前面部
７  第１の側面部
８  基板側コネクター
９  電線側コネクター
１０  背面部
１１  第２の側面部
１２  孔部
１３  防塵手段
１４  端部
１５  筒部
１６  フランジ部
【図１】
0006467630.tif 000002
【図２】
0006467630.tif 000003
【図３】
0006467630.tif 000004
【図４】
0006467630.tif 000005
【図５】
0006467630.tif 000006
【図６】
0006467630.tif 000007